(57)【特許請求の範囲】
【請求項１】
扉枠の出入り口を開閉する開閉可能なドアの下部に、そのドアの左右幅方向に長く延びる断面コの字形の案内枠を、その開口部を下向きにして取付け、その案内枠内にシール枠を昇降自在に組込み、そのシール枠の下面長さ方向に沿って弾性シールを取付け、前記案内枠に一端部が固定された板ばねの長さ方向の中央部を前記シール枠における長さ方向の中央上部に連結し、板ばねの他端部に連結された出没子をドアの吊元側端面から外部に突出させ、ドアの閉鎖時に、扉枠の縦枠内面に対する出没子の当接により板ばねを下向きに撓ませ、シール枠と共に下降動する弾性シールを床面に接触させてドアボトムをシールするドアボトムのシール装置において、
前記シール枠と弾性シールの対向面間に、その弾性シールが床面に接地する状態でシール枠のみの下降動を可能とするクリアランス部を設け、そのクリアランス部の両端部にスペーサを組み込んでシール枠と弾性シールの両端部の相対的な移動を防止するようにしたことを特徴とするドアボトムのシール装置。
【発明の詳細な説明】
【技術分野】
【０００１】
この発明は、ドアの閉鎖状態において、そのドアの下面と床面間を密封するドアボトムのシール装置に関する。
【背景技術】
【０００２】
閉鎖状態とされたドアの下面と床面間を密封するシール装置として、特許文献１に記載されたものが従来から知られている。このシール装置においては、ドアの下部に取付けられた案内枠内に弾性シールを下部に有するシール枠を昇降自在に設け、そのシール枠における長さ方向の中央上部に板ばねの長さ方向中央部を連結し、その板ばねの一端部を案内枠に固定し、他端部に連結された出没子をドアの吊元側端面から外部に突出させ、ドアの閉鎖時に、扉枠の縦枠内面に対する出没子の当接により板ばねを下向きに撓ませ、案内枠と共に下降動する弾性シールを床面に接触させてドアの下面と床面間を密封するようにしている。
【先行技術文献】
【特許文献】
【０００３】
【特許文献１】特開平８−１３９４７号公報
【発明の概要】
【発明が解決しようとする課題】
【０００４】
ところで、上記従来のドアボトムのシール装置においては、弾性シールが全長にわたってシール枠に非可動の支持とされ、そのシール枠の長さ方向中央部に板ばねの長さ方向の中央部が連結されているため、板ばねが弾性シールを床面に押し付ける押圧力は、そのシール部材の長さ方向中央部で大きく、両端に至るに従って次第に小さくなり、弾性シールの両端部を板ばねの弾性力のみで充分に弾性変形させることができない。
【０００５】
このため、床面が閉鎖状態のドアの幅方向中央部で盛り上がりが生じるように反りが生じている場合のように、ドアの下面と床面間の間隔が中央部で小さく両端に至るに従って大きくなっている場合、弾性シールを全長にわたって床面に弾性接触させることができず、弾性シールの長さ方向の両端部で床面との間に隙間が生じ、ドアの左右幅方向の全体にわたって完全に密封することができないという問題があった。
【０００６】
この発明の課題は、閉鎖状態のドアの下面と床面間の間隔がドアの幅方向中央部で小さく両端に至るに従って次第に大きくなるような場合でも、ドアの下面と床面間をドアの幅方向全体にわたって密封することができるようにしたドアボトムのシール装置を提供することである。
【課題を解決するための手段】
【０００７】
上記の課題を解決するために、この発明においては、扉枠の出入り口を開閉する開閉可能なドアの下部に、そのドアの左右幅方向に長く延びる断面コの字形の案内枠を、その開口部を下向きにして取付け、その案内枠内にシール枠を昇降自在に組込み、そのシール枠の下面長さ方向に沿って弾性シールを取付け、前記案内枠に一端部が固定された板ばねの長さ方向の中央部を前記シール枠における長さ方向の中央上部に連結し、板ばねの他端部に連結された出没子をドアの吊元側端面から外部に突出させ、ドアの閉鎖時に、扉枠の縦枠内面に対する出没子の当接により板ばねを下向きに撓ませ、シール枠と共に下降動する弾性シールを床面に接触させてドアボトムをシールするドアボトムのシール装置において、前記シール枠と弾性シールの対向面間に、その弾性シールが床面に接地する状態でシール枠のみの下降動を可能とするクリアランス部を設け、そのクリアランス部の両端部にスペーサを組み込んでシール枠と弾性シールの両端部の相対的な移動を防止するようにした構成を採用したのである。
【０００８】
上記の構成からなるドアボトムのシール装置において、ドアを閉鎖方向に揺動すると、ドアが閉鎖される少し手前の状態で扉枠の縦枠内面に出没子が当接し、その当接状態からドアが閉鎖方向にさらに揺動されることにより出没子が押し込まれて板ばねが下向きに撓み、シール枠が下降する。
【０００９】
このとき、閉鎖状態のドアの下面と床面との対向間隔がドアの幅方向全長にわたってほぼ一定である場合、シール枠の下降により、そのシール枠の下部に支持された弾性シールが下面の全長にわたって床面と当接する。その当接による弾性シールの停止状態から板ばねは弾性変形してシール枠を押し下げ、その板ばねの押圧力により弾性シールは下面全長にわたって床面に強く押し付けられて、ドアの下面と床面間がシールされる。
【００１０】
一方、床面が閉鎖状態のドアの幅方向中央部で盛り上がりが生じる場合のように、ドアの下面と床面間の間隔がドアの幅方向中央部で小さく、両端部に至るに従って次第に大きくなるような場合、シール枠の下降により、弾性シールはその長さ方向の中央部が両端部より先に床面に接触して停止状態とされ、その状態からシール枠がさらに下降する。
【００１１】
その時、シール枠と弾性シールはスペーサの組込みによって長さ方向の両端部が相対的に移動するのが防止されているため、シール枠の下降により弾性シールの両端部が押し下げられることになり、弾性シールは床面に沿うよう長さ方向に弾性変形する。
【００１２】
弾性シールの長さ方向の弾性変形により、シール枠と弾性シールの長さ方向の中央部間に形成されたクリアランス部が次第に小さくなってついにはクリアランス部がなくなり、そのクリアランス部がない状態からシール枠がさらに下降することにより、弾性シールは高さ方向にも弾性変形して床面と強く弾性接触し、床面に対する弾性接触部位が長さ方向の中央部から両端部に波及して、ついには、弾性シールは全長にわたって床面と接触し、ドアの下面と床面間を全体にわたってシールする。
【発明の効果】
【００１３】
この発明においては、上記のように、シール枠と弾性シールの対向面間に、その弾性シールが床面に接地する状態でシール枠のみの下降動を可能とするクリアランス部を設け、そのクリアランス部の両端部にスペーサを組み込んでシール枠と弾性シールの両端部の相対的な移動を防止するようにしたので、ドアの下面と床面間の間隔がドアの幅方向中央部で小さく、両端部に至るに従って次第に大きくなるような場合でも、弾性シールを長さ方向の全長にわたって床面に弾性接触させることができ、ドアの下面と床面間を確実にシールすることができる。
【図面の簡単な説明】
【００１４】
【図１】この発明に係るドアボトムのシール装置の実施の形態を示す縦断面図
【図２】図１のドア吊元側の部分を拡大して示す断面図
【図３】図２のIII−III線に沿った断面図
【図４】図２のIV−IV線に沿った断面図
【図５】図１のドア戸先側の部分を拡大して示す断面図
【図６】ドアの下面と床面間のシール状態を示す縦断面図
【図７】(７Ａ)、(７Ｂ)は、ドアボトムのシール装置の他の実施の形態を示す側面図
【発明を実施するための形態】
【００１５】
以下、この発明の実施の形態を図面に基づいて説明する。図６は、扉枠１に形成された出入り口２を開閉可能に設けられたドア３によって閉鎖している状態を示し、図１は、そのドア３の開放状態を示している。図３および図４に示すように、ドア３の下部に設けられた下桟４には、ドア３の幅方向に長く延びる取付孔５が形成され、その取付孔５内に案内枠１１が嵌め合わされている。
【００１６】
案内枠１１は、断面がコの字形とされ、対向する一対の側板１２のうち、一方の側板１２の下端部には外向きに取付片１３が形成されている。この案内枠１１は、開口部を下向きとして取付孔５内に嵌合され、下桟４の下面に衝合する取付片１３が下桟４にねじ止めされている。
【００１７】
案内枠１１は、ドア３の幅寸法にほぼ等しい長さとされ、その対向一対の側板１２の内面には案内枠１１の両端方向に長く延びる一対のリブ１４が対向位置に形成されており、その一対のリブ１４の上側の空間が上部案内溝１５とされ、下側の空間が下部案内溝１６とされている。
【００１８】
下部案内溝１６内には、その案内枠１１とほぼ等しい長さのシール枠２１が組み込まれている。シール枠２１は、断面形状がＨ形とされて対向する一対の側板２２の上部間に板ばね嵌合溝２３が形成され、かつ、一対の側板２２の下部間にシール取付溝２４が設けられている。
【００１９】
図１に示すように、板ばね嵌合溝２３内には、板ばね３１の長さ方向中央部が挿入され、その中央部がシール枠２１に連結されている。板ばね３１はドア３の幅方向に長く延びて両端部が案内枠１１の上部案内溝１５内に位置し、ドア３の戸先側に位置する一端部には、図５に示すように、固定座３２が取り付けられ、その固定座３２が案内枠１１に連結されている。
【００２０】
図２に示すように、板ばね３１の他端部には連結座３３が取り付けられ、その連結座３３に出没子３４が連結されている。出没子３４は、連結座３３に一端部が連結されたねじ軸３５と、そのねじ軸３５にねじ係合された調節筒３６とからなり、その調節筒３６がドア３の吊元側端面より外方に突出し、その突出部を押し込むことにより、板ばね３１の中央部が下方に撓み、シール枠２１が下降して、そのシール枠２１の下部に連結された弾性シール４１が床面Ｗに弾性接触するようになっている。
【００２１】
ここで、上記ねじ軸３５には、回り止めピース３７と、その回り止めピース３７を調節筒３６に向けて付勢するスプリング３８とが嵌合され、その回り止めピース３７は上部案内溝１５の断面形状と同形状とされて、その上部案内溝１５に対する嵌め合いにより回り止めされており、上記回り止めピース３７に形成された突起３９と調節筒３６の端面に設けられた円弧状の係合凹部４０の係合によって調節筒３６は回り止めされている。
【００２２】
図１に示すように、弾性シール４１は、ゴムの成形品とされて弾性を有し、シール枠２１とほぼ等しい長さとされている。なお、ゴムに代えて軟質合成樹脂の成形品としてもよい。
【００２３】
図３および図４に示すように、弾性シール４１は、両側方に張り出すフランジ４２を上部に有し、下部には薄肉の柔軟性を有するチューブ４３が形成されている。
【００２４】
弾性シール４１は、その上部がシール枠２１のシール取付溝２４内に挿入されている。ここで、シール取付溝２４の下部開口には弾性シール４１のフランジ４２と上下で対向する一対の内向き突条２５が形成され、その内向き突条２５によって弾性シール４１はシール取付溝２４から下方に抜け出るのが防止される。上記フランジ４２が内向き突条２５で支持される弾性シール４１の抜け止め状態で、弾性シール４１の上面とシール枠２１の一対の側板２２間にわたる水平板部２６の下面間にクリアランス部４４が形成され、そのクリアランス部４４の範囲内においてシール枠２１と弾性シール４１は上下方向に相対的に移動し得るようになっている。
【００２５】
図２、図３および図５に示すように、クリアランス部４４の両端部には板状のスペーサ４５が組み込まれ、そのスペーサ４５によってシール枠２１と弾性シール４１の両端部が相対的に上下移動するのが防止されている。
【００２６】
なお、図２および図３に示す２７は、消音ゴムを示し、シール枠２１が板ばね３１の復元弾性により急激に上昇した際に、その消音ゴム２７をリブ１４に衝突させて、異音が発生するのを防止するようにしている。
【００２７】
実施の形態で示すドアボトムのシール装置は上記の構造からなる。いま、図２に示すドア３の開放状態において、そのドア３を閉鎖方向に揺動すると、図６に示す扉枠１の縦枠１ａ内面に出没子３４の先端が当接し、その当接状態からドア３が閉鎖方向にさらに揺動されることにより、出没子３４が縦枠１ａで押し込まれて、板ばね３１が下向きに撓み、シール枠２１が下降する。
【００２８】
このとき、閉鎖状態のドア３の下面と床面Ｗとの対向間隔がドアの幅方向全長にわたってほぼ一定である場合、シール枠２１の下降により、そのシール枠２１の下部に支持された弾性シール４１が下面の全長にわたって床面Ｗと当接する。その当接による弾性シール４１の停止状態から板ばね３１が弾性変形してシール枠２１を押し下げ、その板ばね３１の押圧力により弾性シール４１が、図６に示すように、下面の全長にわたって床面Ｗに強く押し付けられて、ドア３の下面と床面Ｗ間がシールされる。
【００２９】
一方、床面Ｗが閉鎖状態のドア３の幅方向中央部で盛り上がりが生じる場合のように、ドア３の下面と床面Ｗ間の間隔がドア３の幅方向中央部で小さく、両端部に至るに従って次第に大きくなるような場合、シール枠２１の下降により、弾性シール４１はその長さ方向の中央部が両端部より先に床面Ｗに接触して停止状態とされ、その状態からシール枠２１が板ばね３１の押圧によりさらに下降する。
【００３０】
この時、シール枠２１と弾性シール４１はスペーサ４５の組込みによって長さ方向の両端部が相対的に移動するのが防止されているため、シール枠２１の下降により弾性シール４１の両端部はシール枠２１と共に下降動することになり、弾性シール４１は床面Ｗに沿うよう長さ方向に弾性変形する。
【００３１】
また、シール枠２１の下降により、そのシール枠２１と弾性シール４１の長さ方向の中央部間に形成されたクリアランス部４４も小さくなってついには、図４の鎖線で示すように、弾性シール４１の上面がシール枠２１の水平板部２６の下面に当接してクリアランス部４４がなくなり、そのクリアランス部４４がない状態からシール枠２１がさらに下降することにより、弾性シール４１は高さ方向にも弾性変形して床面Ｗと強く弾性接触し、床面Ｗに対する弾性接触部位が長さ方向の中央部から両端部に波及して、ついには、弾性シール４１は全長にわたって床面Ｗと弾性接触し、ドア３の下面と床面Ｗ間が全体にわたってシールされる。
【００３２】
このように、実施の形態では、シール枠２１の水平板部２６の下面と弾性シール４１の対向面間に、その弾性シール４１が床面Ｗに接地する状態でシール枠２１のみの下降動を可能とするクリアランス部４４を設け、そのクリアランス部４４の両端部にスペーサ４５を組み込んでシール枠２１と弾性シール４１の両端部の相対的な移動を防止するようにしたので、ドア３の下面と床面Ｗ間の間隔がドア３の幅方向中央部で小さく、両端部に至るに従って次第に大きくなるような場合でも、弾性シール４１を長さ方向の全長にわたって床面Ｗに弾性接触させることができ、ドア３の下面と床面Ｗ間を確実にシールすることができる。
【００３３】
ここで、床面Ｗが閉鎖状態のドア３の幅方向中央部で窪み、ドア３の下面と床面Ｗ間の隙間がドア３の幅方向中央部で大きく、両端に至るに従って次第に小さくなるような場合、出没子３４の押し込みにより板ばね３１が下向きに撓み、その板ばね３１によりシール枠２１が押し下げられると、弾性シール４１は、下面の両端部が床面Ｗと接触して停止し、その状態からシール枠２１がさらに押し下げられることにより、弾性シール４１の下部に設けられたチューブ４３の両端部が弾性変形し、その変形が弾性シール４１の長さ方向に波及して、下面の全体が床面Ｗと接触する。その接触によって、ドア３の下面と床面Ｗ間が全体にわたってシールされる。
【００３４】
図１乃至図５に示す実施の形態では、ドア３の下桟４に取付孔５を形成して、その取付孔５に案内枠１１を取付けるようにしたが、図７(７Ａ)に示すように、ドア３の片面の下部に幅方向に延びる切欠部６を形成し、その切欠部６に案内枠１１を嵌合し、ドア３の下面に衝合される取付け片１３をドア３にねじ止めしてもよい。あるいは、図７(７Ｂ)に示すように、ドア３の片面の下部に案内枠１１の取付け片１３を有する側板１２を衝合し、ドア３の下面に衝合される取付け片１３をドア３にねじ止めしてもよい。
【符号の説明】
【００３５】
１    扉枠
１ａ  縦枠
２    出入り口
３    ドア
１１  案内枠
２１  シール枠
３１  板ばね
３４  出没子
４１  弾性シール
４３  チューブ
４４  クリアランス部
４５  スペーサ
Ｗ    床面
【図１】
0005687530.tif 000002
【図２】
0005687530.tif 000003
【図３】
0005687530.tif 000004
【図４】
0005687530.tif 000005
【図５】
0005687530.tif 000006
【図６】
0005687530.tif 000007
【図７】
0005687530.tif 000008